(57)【要約】      （修正有）【課題】泡立ちと泡持ちに優れ、キメ細かくクリーミーな泡立ちを有し、優れた洗浄力を示し、且つ洗い流した後にさっぱりした感触が得られ、洗浄後の肌のつっぱり感がなく使用感に優れる洗浄剤組成物を提供すること。【解決手段】下記一般式（１）で表されるＮ−アシルアスパラギン酸のカリウム塩と、下記一般式（３）等で表されるＮ−アシルジアスパラギン酸のカリウム塩と、を含有する洗浄剤組成物。一般式（１）：2010241909.tif 000016一般式（３）：2010241909.tif 000017【選択図】なし【特許請求の範囲】
【請求項１】
下記一般式（１）で表されるＮ−アシルアスパラギン酸のカリウム塩と、
下記一般式（２）または一般式（３）で表されるＮ−アシルジアスパラギン酸のカリウム塩と、を含有する洗浄剤組成物。
一般式（１）：
【化１】
2010241909.tif 000012
（式中、Ｒ１は炭素数７〜２３の直鎖または分岐鎖のアルキルもしくはアルケニル基を示す。Ｍ１およびＭ２は、それぞれ独立に、水素原子またはカリウム原子を示し、Ｍ１とＭ２は同時に水素原子ではない。）
一般式（２）：
【化２】
2010241909.tif 000013
（式中、Ｒ２は炭素数７〜２３の直鎖または分岐鎖のアルキルもしくはアルケニル基を示す。Ｍ３〜Ｍ５は、それぞれ独立に、水素原子またはカリウム原子を示し、Ｍ３〜Ｍ５は同時に水素原子ではない。）
一般式（３）：
【化３】
2010241909.tif 000014
（式中、Ｒ２は炭素数７〜２３の直鎖または分岐鎖のアルキルもしくはアルケニル基を示す。Ｍ６〜Ｍ８は、それぞれ独立に、水素原子またはカリウム原子を示し、Ｍ６〜Ｍ８は同時に水素原子ではない。）
【請求項２】
前記一般式（２）で表されるＮ−アシルジアスパラギン酸のカリウム塩および前記一般式（３）で表されるＮ−アシルジアスパラギン酸のカリウム塩を含有する、請求項１に記載の洗浄剤組成物。
【請求項３】
前記一般式（２）または一般式（３）におけるＲ２が前記一般式（１）におけるＲ１と同一である、請求項１または２に記載の洗浄剤組成物。
【請求項４】
下記一般式（４）で表される高級脂肪酸またはそのカリウム塩を、さらに含有する、請求項１〜３のいずれか１項に記載の洗浄剤組成物。
一般式（４）：
Ｒ３ＣＯＯＭ９
（式中、Ｒ３は炭素数７〜２３の直鎖または分岐鎖のアルキルもしくはアルケニル基を示す。Ｍ９は水素原子またはカリウム原子を示す。）
【請求項５】
前記一般式（４）におけるＲ３が前記一般式（１）におけるＲ１と同一である、請求項１〜４のいずれか１項に記載の洗浄剤組成物。
【請求項６】
非イオン系界面活性剤、アニオン系界面活性剤、両性界面活性剤およびカチオン系界面活性剤からなる群より選ばれる１種または２種以上の界面活性剤を、さらに含有する、請求項１〜５のいずれか１項に記載の洗浄剤組成物。
【請求項７】
下記一般式（５）で表される多鎖多親水基化合物を、さらに含有する、請求項１〜６のいずれか１項に記載の洗浄剤組成物。
一般式（５）：
Ｑｎ−Ｘ
〔式中、Ｘはｍ個の官能基、および官能基以外の置換基を有していてもよい分子量１００万以下の直鎖、分枝鎖もしくは環状鎖の炭化水素鎖または芳香族炭化水素鎖であるスペーサーを示す。Ｘに結合しているｎ（ｍ≧ｎ）個のＱは、下記一般式（６）で表される基であり、それぞれ互いに同一であってもよく、異なっていてもよい。ｎは２〜２０の整数を示し、ｍはｍ≧ｎである整数を示す。
一般式（６）：
【化４】
2010241909.tif 000015
（式中、ＺはＸの有する官能基に由来する結合部であり、Ｒ４ＣＯは炭素数８〜２０の飽和または不飽和の脂肪酸から誘導される長鎖アシル基を示し、Ｒ５は水素原子を示すか、ヒドロキシル基、カルボキシル基、スルホン酸基、硫酸エステル基、リン酸エステル基またはそれらの塩で置換されていてもよい炭素数１〜３のアルキル基を示し、Ｙはカルボキシル基、スルホン酸基、硫酸エステル基、リン酸エステル基またはそれらの塩を示す。ｊおよびｋは、それぞれ独立に０〜２の整数を示し、ｊおよびｋは同時に０ではない。）〕
【請求項８】
泡吐出用である、請求項１〜７のいずれか１項に記載の洗浄剤組成物。
【発明の詳細な説明】
【技術分野】
【０００１】
本発明は洗浄剤組成物に関する。
【背景技術】
【０００２】
従来、洗浄剤組成物の界面活性剤としてアルキル硫酸塩、アルキルエーテル硫酸塩、および高級脂肪酸塩等が使用されてきた。しかしながら、これら界面活性剤を含む洗浄剤組成物は、使用後に肌がつっぱるといった、手肌に対する刺激性に問題があり、界面活性剤としてよりマイルドな原料が望まれている。
近年、手肌にマイルドで安全性が高く、生分解性もよい界面活性剤として、Ｎ−アシルグルタミン酸塩等のアミノ酸系界面活性剤が注目されている。
しかしながら、Ｎ−アシルグルタミン酸塩等のアミノ酸系界面活性剤は、泡立ちが弱く、洗い流した後にぬるつき、べとつきを感じることが多い。
【０００３】
これ等の改善を目的に、例えば、特許文献１−４には、各種界面活性剤との併用が、特許文献５−９には、中和度の調整や対イオンを異にするものの併用等が提案されており、これ等の提案によりかなりの改善がなされてきた。
【０００４】
また、従来、身体洗浄料を提供するための方法として、プロパン等の噴射剤を利用し、界面活性剤を含む発泡性液体をクリーム状の泡として噴出する容器、すなわちエアゾール缶が広く使用されている。このエアゾール缶に用いられる噴射剤は可燃性であるために取り扱いに注意が必要であり、また使用済みの缶を繰り返し使用することができない等の環境上の点で問題があった。
この問題を解決するために、手動のフォーマーポンプ式やスクイズ式の容器を利用する方法が提案され、使用されている。
こうした容器で用いるのに適した洗浄剤組成物の成分としてＮ−アシルアミノ酸塩を用いることが特許文献１０および１１等に開示されている。
【先行技術文献】
【特許文献】
【０００５】
【特許文献１】特開平４−２７３８１０号公報
【特許文献２】特開平３−２８１６９９号公報
【特許文献３】特開平１−２７２６９７号公報
【特許文献４】特開昭６３−３０５９９号公報
【特許文献５】特開平９−１２５０８９号公報
【特許文献６】特開平６−４９４８１号公報
【特許文献７】特開平４−１８０９９９号公報
【特許文献８】特開平４−１４９２９９号公報
【特許文献９】特開昭５９−１３８２９８号公報
【特許文献１０】特開平７−２５２１３２号公報
【特許文献１１】特開平８−１３１８０９号公報
【発明の概要】
【発明が解決しようとする課題】
【０００６】
しかしながら、特許文献１−９に開示された技術では、とりわけ人体用として、泡立ちが良好でクリーム状の泡が立ち、さっぱり感、つっぱり感、使用後の髪のきしみといった使用感、保存性をバランスよく改善する点で充分ではなく、一層の改善が望まれている。
また、特許文献１０および１１に開示された技術では、キメ細かくコシのあるクリーミーな泡立ちが不十分なものであり、一層の改善が望まれている。
さらに、特許文献１０および１１には、Ｎ−アシルアスパラギン酸塩は具体的に開示されていない。
【０００７】
本発明が解決しようとする課題は、泡持ちと泡立ちに優れ、キメ細かくコシのあるクリーミーな泡立ちを有し、優れた洗浄力を示し、且つ洗い流した後にさっぱりした感触が得られ、洗浄後の肌のつっぱり感がなく使用感に優れる洗浄剤組成物を提供することにある。
【０００８】
本発明者らは、上記課題を解決するために鋭意研究を重ねた結果、Ｎ−アシルアスパラギン酸のカリウム塩とＮ−アシルジアスパラギン酸のカリウム塩を含有する洗浄剤組成物とすることにより、上記課題を解決することができることを見出し、本発明を完成した。
【０００９】
すなわち、本発明の以下のとおりである。
１．
下記一般式（１）で表されるＮ−アシルアスパラギン酸のカリウム塩と、
下記一般式（２）または一般式（３）で表されるＮ−アシルジアスパラギン酸のカリウム塩と、を含有する洗浄剤組成物。
一般式（１）：
【化１】
2010241909.tif 000002
（式中、Ｒ１は炭素数７〜２３の直鎖または分岐鎖のアルキルもしくはアルケニル基を示す。Ｍ１およびＭ２は、それぞれ独立に、水素原子またはカリウム原子を示し、Ｍ１とＭ２は同時に水素原子ではない。）
一般式（２）：
【化２】
2010241909.tif 000003
（式中、Ｒ２は炭素数７〜２３の直鎖または分岐鎖のアルキルもしくはアルケニル基を示す。Ｍ３〜Ｍ５は、それぞれ独立に、水素原子またはカリウム原子を示し、Ｍ３〜Ｍ５は同時に水素原子ではない。）
一般式（３）：
【化３】
2010241909.tif 000004
（式中、Ｒ２は炭素数７〜２３の直鎖または分岐鎖のアルキルもしくはアルケニル基を示す。Ｍ６〜Ｍ８は、それぞれ独立に、水素原子またはカリウム原子を示し、Ｍ６〜Ｍ８は同時に水素原子ではない。）
２．
前記一般式（２）で表されるＮ−アシルジアスパラギン酸のカリウム塩および前記一般式（３）で表されるＮ−アシルジアスパラギン酸のカリウム塩を含有する、１．に記載の洗浄剤組成物。
３．
前記一般式（２）または一般式（３）におけるＲ２が前記一般式（１）におけるＲ１と同一である、１．または２．に記載の洗浄剤組成物。
４．
下記一般式（４）で表される高級脂肪酸またはそのカリウム塩を、さらに含有する、１．〜３．のいずれかに記載の洗浄剤組成物。
一般式（４）：
Ｒ３ＣＯＯＭ９
（式中、Ｒ３は炭素数７〜２３の直鎖または分岐鎖のアルキルもしくはアルケニル基を示す。Ｍ９は水素原子またはカリウム原子を示す。）
５．
前記一般式（４）におけるＲ３が前記一般式（１）におけるＲ１と同一である、１．〜４．のいずれかに記載の洗浄剤組成物。
６．
非イオン系界面活性剤、アニオン系界面活性剤、両性界面活性剤およびカチオン系界面活性剤からなる群より選ばれる１種または２種以上の界面活性剤を、さらに含有する、１．〜５．のいずれかに記載の洗浄剤組成物。
７．
下記一般式（５）で表される多鎖多親水基化合物を、さらに含有する、１．〜６．のいずれかに記載の洗浄剤組成物。
一般式（５）：
Ｑｎ−Ｘ
〔式中、Ｘはｍ個の官能基、および官能基以外の置換基を有していてもよい分子量１００万以下の直鎖、分枝鎖もしくは環状鎖の炭化水素鎖または芳香族炭化水素鎖であるスペーサーを示す。Ｘに結合しているｎ（ｍ≧ｎ）個のＱは、下記一般式（６）で表される基であり、それぞれ互いに同一であってもよく、異なっていてもよい。ｎは２〜２０の整数を示し、ｍはｍ≧ｎである整数を示す。
一般式（６）：
【化４】
2010241909.tif 000005
（式中、ＺはＸの有する官能基に由来する結合部であり、Ｒ４ＣＯは炭素数８〜２０の飽和または不飽和の脂肪酸から誘導される長鎖アシル基を示し、Ｒ５は水素原子を示すか、ヒドロキシル基、カルボキシル基、スルホン酸基、硫酸エステル基、リン酸エステル基またはそれらの塩で置換されていてもよい炭素数１〜３のアルキル基を示し、Ｙはカルボキシル基、スルホン酸基、硫酸エステル基、リン酸エステル基またはそれらの塩を示す。ｊおよびｋは、それぞれ独立に０〜２の整数を示し、ｊおよびｋは同時に０ではない。）〕
８．
泡吐出用である、１．〜７．のいずれかに記載の洗浄剤組成物。
【発明の効果】
【００１０】
本発明は、泡持ちと泡立ちに優れ、キメ細かくコシのあるクリーミーな泡立ちを有し、優れた洗浄力を示し、且つ洗い流した後にさっぱりした感触が得られ、洗浄後の肌のつっぱり感がなく使用感に優れる洗浄剤組成物を提供することができる。
【発明を実施するための形態】
【００１１】
以下、本発明を実施するため形態（以下、本実施の形態という）について詳細に説明する。なお、本発明は、以下の実施の形態に限定されるものではなく、その要旨の範囲内で種々変形して実施することができる。
【００１２】
本実施の形態の洗浄剤組成物は、下記一般式（１）で表されるＮ−アシルアスパラギン酸のカリウム塩と、
下記一般式（２）または一般式（３）で表されるＮ−アシルジアスパラギン酸のカリウム塩と、を含有する。
【００１３】
一般式（１）：
【化５】
2010241909.tif 000006
（式中、Ｒ１は炭素数７〜２３の直鎖または分岐鎖のアルキルもしくはアルケニル基を示す。Ｍ１およびＭ２は、それぞれ独立に、水素原子またはカリウム原子を示し、Ｍ１とＭ２は同時に水素原子ではない。）
【００１４】
一般式（２）：
【化６】
2010241909.tif 000007
（式中、Ｒ２は炭素数７〜２３の直鎖または分岐鎖のアルキルもしくはアルケニル基を示す。Ｍ３〜Ｍ５は、それぞれ独立に、水素原子またはカリウム原子を示し、Ｍ３〜Ｍ５は同時に水素原子ではない。）
【００１５】
一般式（３）：
【化７】
2010241909.tif 000008
（式中、Ｒ２は炭素数７〜２３の直鎖または分岐鎖のアルキルもしくはアルケニル基を示す。Ｍ６〜Ｍ８は、それぞれ独立に、水素原子またはカリウム原子を示し、Ｍ６〜Ｍ８は同時に水素原子ではない。）
【００１６】
一般式（１）中、Ｒ１は、炭素数７〜２３の直鎖または分岐鎖のアルキルもしくはアルケニル基であることにより、泡の細かさや起泡力に優れる洗浄剤組成物とすることができる。
Ｒ１における炭素数は、好ましくは７〜１７である。
一般式（１）中、Ｍ１およびＭ２は、少なくとも一方がカリウム原子であることにより、キメ細かくコシのあるクリーミーな泡立ちなどに優れる洗浄剤組成物とすることができる。
一般式（１）中、そのアミノ酸部分の光学活性に関しては、Ｌ体、Ｄ体、らセミ体、ＤＬ体の任意の範囲の混合物であってもよい。
【００１７】
一般式（１）で表されるＮ−アシルアスパラギン酸のカリウム塩としては、例えば、Ｎ−オクタノイルアスパラギン酸、Ｎ−デカノイルアスパラギン酸、Ｎ−ラウロイルアスパラギン酸、Ｎ−ミリストイルアスパラギン酸、Ｎ−パルミトイルアスパラギン酸、Ｎ−ステアロイルアスパラギン酸、Ｎ−イソステアロイルアスパラギン酸、Ｎ−オレオイルアスパラギン酸、Ｎ−リノレオイルアスパラギン酸、Ｎ−ヤシ油脂肪酸アシルアスパラギン酸、Ｎ−パーム油脂肪酸アシルアスパラギン酸、Ｎ−パーム核油脂肪酸アシルアスパラギン酸等のＮ−アシルアスパラギン酸のカリウム塩が挙げられる。
一般式（１）で表されるＮ−アシルアスパラギン酸のカリウム塩は、モノカリウム塩であってもよく、ジカリウム塩であってもよい。
また、一般式（１）で表されるＮ−アシルアスパラギン酸のカリウム塩は、１種の単一物であってもよく、２種以上の混合物であってもよい。
一般式（１）で表されるＮ−アシルアスパラギン酸のカリウム塩の中和度は５０％以上であることが好ましく、８０％以上であることがより好ましい。
【００１８】
一般式（２）または一般式（３）中、Ｒ２は、同一の基であることが好ましく、炭素数７〜２３の直鎖または分岐鎖のアルキルもしくはアルケニル基であることにより、泡の細かさや起泡力などに優れる洗浄剤組成物とすることができる。
Ｒ２における炭素数は、好ましくは７〜１７である。
一般式（２）または一般式（３）中、Ｍ３〜Ｍ５およびＭ６〜Ｍ８は、それぞれ、少なくとも１つがカリウム原子であることにより、キメ細かくコシのあるクリーミーな泡立ちに優れる洗浄剤組成物とすることができる。
一般式（２）または一般式（３）中、そのアミノ酸部分の光学活性に関しては、Ｌ体、Ｄ体、らセミ体、ＤＬ体の任意の範囲の混合物であってもよい。
【００１９】
上記一般式（２）または一般式（３）で表されるＮ−アシルジアスパラギン酸のカリウム塩としては、例えば、Ｎ−オクタノイルジアスパラギン酸、Ｎ−デカノイルジアスパラギン酸、Ｎ−ラウロイルジアスパラギン酸、Ｎ−ミリストイルジアスパラギン酸、Ｎ−パルミトイルジアスパラギン酸、Ｎ−ステアロイルジアスパラギン酸、Ｎ−イソステアロイルジアスパラギン酸、Ｎ−オレオイルジアスパラギン酸、Ｎ−リノレオイルジアスパラギン酸、Ｎ−ヤシ油脂肪酸アシルジアスパラギン酸、Ｎ−パーム油脂肪酸アシルジアスパラギン酸、Ｎ−パーム核油脂肪酸アシルジアスパラギン酸等のＮ−アシルジアスパラギン酸のカリウム塩が挙げられる。
一般式（２）または一般式（３）で表されるＮ−アシルジアスパラギン酸のカリウム塩は、モノカリウム塩であってもよく、ジカリウム塩であってもよく、トリカリウム塩であってもよい。
また、一般式（２）または一般式（３）で表されるＮ−アシルジアスパラギン酸のカリウム塩は、１種の単一物であってもよく、２種以上の混合物であってもよい。
一般式（２）または一般式（３）で表されるＮ−アシルジアスパラギン酸のカリウム塩の中和度は５０％以上であることが好ましく、８０％以上であることがより好ましい。
【００２０】
一般式（１）で表されるＮ−アシルアスパラギン酸のカリウム塩および一般式（２）または一般式（３）で表されるＮ−アシルジアスパラギン酸のカリウム塩は、例えば、アスパラギン酸やジアスパラギン酸と脂肪酸クロライドとのショッテン・バウマン反応後、カリウムを含むアルカリ、例えば水酸化カリウムにより中和することで製造することができる。
【００２１】
洗浄剤組成物は、泡量などの観点で、一般式（１）で表されるＮ−アシルアスパラギン酸のカリウム塩を、好ましくは０．００１〜６０質量％、より好ましくは０．０１〜３０質量％含有する。
洗浄剤組成物は、泡量と感触（さっぱり感）などの観点で、一般式（２）または一般式（３）で表されるＮ−アシルジアスパラギン酸のカリウム塩を、一般式（１）で表されるＮ−アシルアスパラギン酸のカリウム塩に対し、好ましくは０．１〜１５質量％、より好ましくは０．１〜８質量％含有する。
該含有量が０．１質量％以上であることにより、洗浄後のさっぱり感などに優れる洗浄剤組成物とすることができ、また、１５質量％以下であることにより、泡量などに優れる洗浄剤組成物とすることができる。
【００２２】
本実施の形態の洗浄剤組成物は、泡量などの観点で、好ましくは、一般式（２）で表されるＮ−アシル−ジアスパラギン酸のカリウム塩と一般式（３）で表されるＮ−アシル−ジアスパラギン酸のカリウム塩の両者を含有する。
【００２３】
洗浄剤組成物は、泡量などの観点で、一般式（２）で表されるＮ−アシルジアスパラギン酸のカリウム塩および一般式（３）で表されるＮ−アシルジアスパラギン酸のカリウム塩の含有比として、１：１０〜１０：１であることが好ましく、１：５〜５：１であることがより好ましい。
【００２４】
一般式（２）または（３）におけるＲ２が一般式（１）におけるＲ１と同一であることが好ましい。
一般式（２）または（３）におけるＲ２が一般式（１）におけるＲ１と同一であるＮ−アシル−ジアスパラギン酸のカリウム塩を用いることにより、洗浄剤組成物として、泡立ち、洗浄力に優れ、さっぱりした感触が得られ、洗浄後の肌のつっぱり感が少なく、かつ保存性にも優れた効果を最大にすることができる。
【００２５】
本実施の形態において、一般式（１）で表されるＮ−アシルアスパラギン酸のカリウム塩、および一般式（２）または一般式（３）で表されるＮ−アシルジアスパラギン酸のカリウム塩は、塩基成分の当量を適宜調節して得られる部分的なカリウム塩であってもよい。
洗浄剤組成物に、直接上記カリウム塩を配合してもよく、Ｎ−アシルアスパラギン酸またはＮ−アシルジアスパラギン酸と、カリウム塩基とをそれぞれ配合して配合処方の中でカリウム塩を形成してもよい。
【００２６】
本実施の形態の洗浄剤組成物に、下記一般式（４）で表される高級脂肪酸またはその塩を配合することにより泡持ちと泡立ち、泡の細かさと泡のコシなどの観点でさらに効果を高めることができる。
一般式（４）：
Ｒ３ＣＯＯＭ９
（式中、Ｒ３は炭素数７〜２３の直鎖または分岐鎖のアルキルもしくはアルケニル基を示す。Ｍ９は水素原子またはカリウム原子を示す。）
【００２７】
一般式（４）で表される高級脂肪酸の種類については特に限定されないが、水酸基、芳香族基等の置換基を有していてもよい。
【００２８】
一般式（４）で表される高級脂肪酸としては、例えば、カプリル酸、カプリン酸、ラウリン酸、ミリスチン酸、パルミチン酸、ステアリン酸、イソステアリン酸、アラキジン酸、ベヘン酸、ウンデシレン酸、パルミトレイン酸、オレイン酸、リノール酸、リノレン酸、ヒドロキシステアリン酸、リシノール酸、ラノリン脂肪酸、ヤシ油脂肪酸、ひまし油脂肪酸、オリーブ油脂肪酸、パーム油脂肪酸、パーム核油脂肪酸等が挙げられる。
一般式（４）で表される高級脂肪酸の塩としては、例えば、上記高級脂肪酸のナトリウム塩、カリウム塩、リチウム塩、マグネシウム塩、カルシウム塩等の金属塩； アンモニウム塩、アルキルアンモニウム塩等のアンモニウム塩；モノエタノールアミン塩、ジエタノールアミン塩、トリエタノールアミン塩、アミノメチルプロパノール塩等のアミン塩；リジン塩、アルギニン塩等の塩基性アミノ酸塩、コリン塩等が挙げられる。
一般式（４）で表される高級脂肪酸またはその塩は、１種の単一物であってもよく、２種以上の混合物であってもよい。
一般式（４）におけるＲ３が一般式（１）におけるＲ１と同一であることが好ましい。
洗浄剤組成物は、泡持ちと泡立ち、泡の細かさと泡のコシなどの観点で、一般式（４）で表される高級脂肪酸またはその塩を、一般式（１）で表されるＮ−アシルアスパラギン酸のカリウム塩に対し、好ましくは０．１〜３０質量％、より好ましくは０．１〜２０質量％含有する。
【００２９】
本実施の形態の洗浄剤組成物は、洗浄性の向上や様々な材形に使用する観点で、非イオン系界面活性剤、アニオン系界面活性剤、両性界面活性剤、およびカチオン系界面活性剤からなる群より選ばれる１種または２種以上の界面活性剤をさらに含有することが好ましい。
【００３０】
非イオン系界面活性剤としては、例えば、ＰＯＥ（ポリオキシエチレン）オクチルエーテル、ＰＯＥ（２−エチル−ヘキシル）エーテル、ＰＯＥラウリルエーテル、ＰＯＥミリスチルエーテル、ＰＯＥセチルエーテル、ＰＯＥステアリルエーテル、ＰＯＥオレイルエーテル、ＰＯＥイソステアリルエーテル、ＰＯＥベヘニルエーテル、ポリオキシエチレンセチルステアリルジエーテル等のポリオキシエチレンアルキルエーテル；ＰＯＥ・ＰＯＰ（ポリオキシプロピレン）ブチルエーテル、ＰＯＥ・ＰＯＰラウリルエーテル、ＰＯＥ・ＰＯＰセチルエーテル、ＰＯＥ・ＰＯＰグリコール等のポリオキシエチレンポリオキシプロピレングリコール型；ＰＯＥオクチルフェニルエーテル、ＰＯＥノニルフェニルエーテル、ＰＯＥクロロフェニルエーテル、ＰＯＥナフチルエーテル等のポリオキシエチレンアリールエーテル；ＰＯＥ硬化ひまし油エーテル、ＰＯＥひまし油エーテル；その他ＰＯＥラノリンアルコールエーテル、ＰＯＥフィトステロール等のエーテル系；モノステアリン酸ＰＯＥグリセリル、オレイン酸ＰＯＥグリセリル等のポリオキシエチレングリセリン脂肪酸エステル；モノラウリン酸ＰＯＥソルビタン、モノステアリン酸ＰＯＥソルビタン、トリステアリン酸ＰＯＥソルビタン、モノイソステアリン酸ＰＯＥソルビタン等のポリオキシエチレンソルビタン脂肪酸エステル；ヘキサステアリン酸ＰＯＥソルビトール、テトラステアリン酸ＰＯＥソルビトール、テトラオレイン酸ＰＯＥソルビトール、モノラウリン酸ＰＯＥソルビトール等のポリオキシエチレンソルビトール脂肪酸エステル；ポリエチレングリコールモノラウリン酸、ポリエチレングリコールモノステアリン酸、ポリエチレングリコールモノオレイン酸、ポリエチレングリコールジステアリン酸、ポリエチレングリコールジオレイン酸、ポリエチレングリコールジイソステアリン酸等のポリエチレングリコール脂肪酸エステル；ポリエチレングリコールラノリン脂肪酸エステル等のエーテルエステル系；モノステアリン酸グリセリル、自己乳化型モノステアリン酸グリセリル、モノヒドロキシステアリン酸グリセリル、ジステアリン酸グリセリル等のグリセリン脂肪酸エステル；モノステアリン酸ジグリセリル、モノオレイン酸ジグリセリル、ジオレイン酸ジグリセリル、モノイソステアリン酸ジグリセリル、モノステアリン酸テトラグリセリル、トリステアリン酸テトラグリセリル、ペンタステアリン酸テトラグリセリル、モノラウリン酸ヘキサグリセリル、モノミリスチン酸ヘキサグリセリル、ジステアリン酸デカグリセリル、ジイソステアリン酸デカグリセリル等のポリグリセリン脂肪酸エステル；モノラウリン酸ソルビタン、モノステアリン酸ソルビタン、モノオレイン酸ソルビタン、トリオレイン酸ソルビタン、トリステアリン酸ソルビタン、モノイソステアリン酸ソルビタン等のソルビタン脂肪酸エステル；モノラウリン酸エチレングリコール、ジステアリン酸エチレングリコール等のエチレングリコール脂肪酸エステル；モノステアリン酸プロピレングリコール、自己乳化型モノステアリン酸プロピレングリコール等のプロピレングリコール脂肪酸エステル；モノステアリン酸ペンタエリスリトール、モノオレイン酸ペンタエリスリトール等のペンタエリスリトール脂肪酸エステル；マルチトールヒドロキシ脂肪酸エーテル、アルキル化多糖、アルキル（ポリ）グルコシド、シュガーエステル等の糖誘導体；α−モノイソステアリルグリセリルエーテル等のアルキルグリセリルエーテル；アセチル−モノグリセリド、乳酸モノグリセリド、クエン酸モノグリセリド等の有機酸モノグリセリド；ヤシ油脂肪酸モノエタノールアミド、ラウロイルモノエタノールアミド、ミリストイルモノエタノールアミド、ラウロイルジエタノールアミド、ヤシ油脂肪酸ジエタノールアミド、ラウロイルイソプロパノールアミド、ミリストイルイソプロパノールアミド、ヤシ油脂肪酸イソプロパノールアミド、ＰＯＥラウロイルモノエタノールアミド、ヤシ油脂肪酸メチルモノエタノールアミド、ヤシ油脂肪酸メチルジエタノールアミド等の脂肪酸アルカノールアミド；ＰＯＥラウリルアミン、ＰＯＥステアリルアミン等のＰＯＥアルキルアミン；ラウリルジメチルアミンオキサイド、ココジメチルアミンオキサイド、ココアミドプロピルジメチルアミンオキサイド等のアミンオキサイド等が挙げられる。
好ましくは、エチレングリコール脂肪酸エステル、脂肪酸アルカノールアミド、ポリオキシエチレンアルキルエーテル、ポリオキシエチレンソルビタン脂肪酸エステル、ポリエチレングリコール脂肪酸エステル、ポリグリセリン脂肪酸エステル等が挙げられ、より好ましくは、エチレングリコール脂肪酸エステル、脂肪酸アルカノールアミド、ポリオキシエチレンアルキルエーテル、ポリグリセリン脂肪酸エステル等が挙げられる。
【００３１】
陰イオン系界面活性剤としては、例えば、ラウリル硫酸ナトリウム、ラウリル硫酸カリウム、ミリスチル硫酸ナトリウム、ミリスチル硫酸カリウム、セチル硫酸ナトリウム、ステアリル硫酸ナトリウム、オレイル硫酸ナトリウム、ラウリル硫酸トリエタノールアミン等のアルキル硫酸およびその塩；ポリオキシエチレンラウリルエーテル硫酸ナトリウム、ポリオキシエチレンセチルエーテル硫酸ナトリウム、ポリオキシエチレンオレイルエーテル硫酸ナトリウム、ポリオキシエチレンラウリルエーテル硫酸トリエタノールアミン等のアルキルエーテル硫酸およびその塩；ポリオキシエチレンオクチルフェニルエーテル硫酸ナトリウム等のアルキルアリールエーテル硫酸およびその塩；ポリオキシエチレンラウリン酸アミドエーテル硫酸ナトリウム、ポリオキシエチレンラウリン酸アミドエーテル硫酸トリエタノールアミン、ポリオキシエチレンミリスチン酸アミドエーテル硫酸ナトリウム、ポリオキシエチレンオレイン酸アミドエーテル硫酸ナトリウム、ポリオキシエチレンヤシ油脂肪酸アミドエーテル硫酸ナトリウム、オレイン酸アミドエーテル硫酸ナトリウム等のアルキルアミド硫酸およびその塩；硬化ヤシ油脂肪酸グリセリン硫酸ナトリウム等のアシルエステル硫酸およびその塩；ラウリルスルホン酸ナトリウム、ミリスチルスルホン酸ナトリウム、ヤシ油アルキルスルホン酸ナトリウム等のアルキルスルホン酸およびその塩；リニアドデシルベンゼンスルホン酸ナトリウム、リニアドデシルベンゼンスルホン酸トリエタノールアミン等のアルキルベンゼンスルホン酸およびその塩；アルキルナフタレンスルホン酸およびその塩；ナフタレンスルホン酸塩のホルマリン重縮合物等のホルマリン縮合系スルホン酸およびその塩；スルホコハク酸ラウリル２ナトリウム、ジ−２−エチルヘキシルスルホコハク酸ナトリウム、ポリオキシエチレンスルホコハク酸ラウリル２ナトリウム、オレイン酸アミドスルホコハク酸２ナトリウム等のスルホコハク酸およびその塩；ドデセンスルホン酸ナトリウム、テトラデセンスルホン酸ナトリウム、ドデセンスルホン酸カリウム、デトラデセンスルホン酸カリウム等のα−オレフィンスルホン酸およびその塩；α−スルホラウリン酸メチルエステル、α−スルホミリスチン酸メチルエステル、α−スルホラウリン酸（ＥＯ）ｎメチルエステル等のα−スルホ脂肪酸エステルおよびその塩；ヤシ油脂肪酸アシル−Ｎ−メチルタウリンカリウム、ラウロイル−Ｎ−メチルタウリンナトリウム、ラウロイル−Ｎメチルタウリンカリウム、ラウロイル−Ｎ−メチルタウリントリエタノールアミン、ミリストイル−Ｎ−メチルタウリンナトリウム、ミリストイル−Ｎ−メチルタウリントリエタノールアミン、ヤシ油脂肪酸アシル−Ｎ−メチルタウリンナトリウム、ヤシ油脂肪酸アシル−Ｎ−メチルタウリントリエタンールアミン等のＮ−アシルメチル−タウリンおよびその塩；ヤシ油脂肪酸アシル−グルタミン酸カリウム、ヤシ油脂肪酸アシル−グルタミン酸ナトリウム、ヤシ油脂肪酸アシル−グルタミン酸トリエタンールアミン、ラウロイル−グルタミン酸ナトリウム、ミリストイル−グルタミン酸カリウム、ミリストイル−グルタミン酸ナトリウム、パーム油脂肪酸アシル−グルタミン酸ナトリウム等の��−アシルグルタミン酸およびその塩；Ｎ−ラウロイルグリシンナトリウム、Ｎ−ミリストイルグリシントリエタノールアミン、Ｎ−ヤシ油脂肪酸アシル−グリシンナトリウム、Ｎ−ヤシ油脂肪酸アシル−グリシンカリウム等のＮ−アシルグリシンおよびその塩；ラウロイルイセチオン酸ナトリウム、ミリストイルイセチオン酸ナトリウム、ヤシ油脂肪酸アシルイセチオン酸ナトリウム等のアシルイセチオン酸およびその塩；アルキルスルホ酢酸塩；ポリオキシエチレンラウリルエーテルリン酸ナトリウム、ポリオキシエチレンセチルエーテルリン酸ナトリウム、ポリオキシエチレンミリスチルリン酸カリウム、ポリオキシエチレンオレイルエーテルリン酸ナトリウム、ジポリオキシエチレンオレイルエーテルリン酸ナトリウム等のアルキルエーテルリン酸およびその塩；アルキルアリールエーテルリン酸およびその塩；ポリオキシエチレンラウリルアミドエーテルリン酸ナトリウム等の脂肪酸アミドエーテルリン酸およびその塩；ラウリルリン酸ナトリウム、ミリスチルリン酸ナトリウム、ヤシ油脂肪酸リン酸ナトリウム、ミリスチルリン酸カリウム、ラウリルリン酸トリエタノールアミン、オレイルリン酸ジエタノールアミン等のアルキルリン酸およびその塩；ラウロイルイミノジ酢酸ナトリウム、ラウロイルイミノジ酢酸トリエタノールアミン、ヤシ油脂肪酸アシルイミノジ酢酸ナトリウム、ラウロイルイミノジ酢酸ジナトリウム、パーム核脂肪酸イミノジ酢酸ナトリウム等のアシルイミノジ酢酸およびその塩；ポリオキシエチレンラウリルエーテル酢酸ナトリウム、ポリオキシエチレンミリスチルエーテル酢酸カリウム、ポリオキシエチレンパルミチルエーテル酢酸トリエタノールアミン、ポリオキシエチレンステアリルエーテル酢酸ナトリウム、ポリグリセリルラウリルエーテル酢酸ナトリウム等のエーテルカルボン酸およびその塩；ヤシ油脂肪酸シルクペプチド等のアシル化ペプチド；ポリオキシエチレンラウリン酸アミドエーテルカルボン酸ナトリウム、ポリオキシエチレンミリスチン酸アミドエーテルカルボン酸ナトリウム、ポリオキシエチレンヤシ油脂肪酸アミドエーテルカルボン酸トリエタノールアミン等のアミドエーテルカルボン酸およびその塩；アシル乳酸塩；アルケニルコハク酸およびその塩等が挙げられる。
好ましくは、アルキルエーテル硫酸およびその塩、スルホコハク酸およびその塩、Ｎ−アシルメチル−タウリンおよびその塩、Ｎ−アシルグルタミン酸およびその塩、アルキルリン酸およびその塩、Ｎ−アシルグリシンおよびその塩等が挙げられ、より好ましくは、アルキルエーテル硫酸およびその塩、Ｎ−アシルメチル−タウリンおよびその塩、Ｎ−アシルグルタミン酸およびその塩、Ｎ−アシルグリシンおよびその塩等が挙げられる。
【００３２】
両性界面活性剤としては、例えば、ラウリルジメチルベタイン、ミリスチルジメチルベタイン、パルミチルジメチルベタイン、ステアリルジメチルベタイン、オレイルジメチルベタイン、ヤシ油アルキルジメチルベタイン、ラウリルメチルエチルベタイン、オクタデシルオキシメチルジメチルベタイン、ラウリルジヒドロキシエチルベタイン、ステアリルジヒドロキシエチルベタイン、ヤシ油アルキルジヒドロキシエチルベタイン、ラウリン酸アミドプロピルジメチルベタイン、ミリスチン酸アミドプロピルジメチルベタイン、ステアリン酸アミドプロピルジメチルベタイン、オレイン酸アミドプロピルジメチルベタイン、ヤシ油脂肪酸アミドプロピルジメチルベタイン等のカルボキシベタイン型；
ＲＮ+Ｈ2ＣＨ2ＣＯＯ-（Ｒ：アルキル）で示されるラウリルグリシン、ステアリルグリシン、ラウリルジアミノエチルグリシンナトリウム、塩化アルキルアミノエチルグリシン、ヤシ油脂肪酸アシル−Ｎ−カルボキシエトキシエチル−Ｎ−カルボキシエチルエチレンジアミン２ナトリウム等のグリシン型；
ＲＮ+Ｈ2ＣＨ2ＣＨ2ＣＯＯ-（Ｒ：アルキル）で示されるラウリル−β−アラニン、ステアリル−β−アラニン等のアミノプロピオン酸型；
ラウリルスルホ酢酸ナトリウム、テトラデセンスルホン酸ナトリウム、スルホコハク酸ジ（２−エチルヘキシル）ナトリウム、ラウリルジメチルヒドロキシプロピルスルホベタイン、ミリスチルジメチルヒドロキシプロピリルスルホベタイン、ラウリルジメチルプロピルスルホベタイン、ヤシ油アルキルジメチルプロピルスルホベタイン、ラウリン酸アミドプロピルジメチルヒドロキシプロピルスルホベタイン等のスルホベタイン型；
ＲＮ+Ｈ2ＣＨ2ＣＨ2ＳＯ3-（Ｒ：アルキル）で示されるスルホン酸型；
ＲＮ+Ｈ2ＣＨ2ＣＨ2ＯＳＯ3-（Ｒ：アルキル）で示される硫酸型；
ラウリルアミノプロピオン酸ナトリウム、ラウリルアミノジプロピオン酸ナトリウム、Ｎ−ラウロイル−Ｎ−ヒドロキシエチル−Ｎ’−ジカルボキシエチル−エチレンジアミン２ナトリウム、Ｎ−ラウロイル−Ｎ−ヒドロキシエチル−Ｎ’−カルボキシエチル−エチレンジアミンナトリウム、Ｎ−ラウロイル−Ｎ’−カルボキシメチル−Ｎ’−ヒドロキシエチルエチレンジアミンナトリウム、Ｎ−ヤシ脂肪酸アシル−Ｎ’−カルボキシエチル−Ｎ’−ヒドロキシエチルエチレンジアミンナトリウム、Ｎ−ラウロイル−Ｎ−ヒドロキシエチル−Ｎ’−ジカルボキシメチル−エチレンジアミン２ナトリウム、Ｎ−ラウロイル−Ｎ−ヒドロキシエチル−Ｎ’−カルボキシメチル−エチレンジアミンナトリウム、Ｎ−ヒドロキシドデシル−Ｎ−ポリオキシエチレン−Ｎ’−カルボキシエチル−Ｎ’−ポリオキシエチレンエチレンジアミンナトリウム、ヤシ脂肪酸アシル−Ｎ−ヒドロキシエチルエチレンジアミンナトリウム、等のアミノカルボン酸塩型；
２−ラウリル−Ｎ−カルボキシメチル−Ｎ−ヒドロキシエチルイミダゾリニウムベタイン、２−ミリスチル−Ｎ−カルボキシメチル−Ｎ−ヒドロキシエチルイミダゾリニウムベタイン、２−ステアリル−Ｎ−カルボキシメチル−Ｎ−ヒドロキシエチルイミダゾリニウムベタイン、２−ヤシ油アルキル−Ｎ−カルボキシメチル−Ｎ−ヒドロキシエチルイミダゾリニウムベタイン等のイミダゾリン型；
ＲＮ+Ｈ2ＣＨ（ＣＨ3）Ｐ（ＯＨ）Ｏ2-（Ｒ：アルキル）で示されるリン酸型；レシチン；
ラウリルジメチルアミノ酢酸ベタイン、ヤシ油脂肪酸アミドプロピルジメチルアミノ酢酸ベタイン等のアミノ酢酸ベタイン型等が挙げられる。
好ましくは、グリシン型、アミノ酢酸ベタイン型、アミドプロピオン酸型、スルホベタイン型等が挙げられ、より好ましくは、アミノ酢酸ベタイン型等が挙げられる。
【００３３】
カチオン系界面活性剤としては、例えば、ラウリルトリメチルアンモニウムクロライド、ミリスチルトリメチルアンモニウムクロライド、パルミチルトリメチルアンモニウムクロライド、ステアリルトリメチルアンモニウムクロライド、オレイルトリメチルアンモニウムクロライド、セチルトリメチルアンモニウムクロライド、ベヘニルトリメチルアンモニウムクロライド、ヤシ油アルキルトリメチルアンモニウムクロライド、牛脂アルキルトリメチルアンモニウムクロライド、ステアリルトリメチルアンモニウムブロミド、ヤシ油アルキルトリメチルアンモニウムブロミド、セチルトリメチルアンモニウムメチル硫酸等のモノアルキル第四級アンモニウム塩；ジオクチルジメチルアンモニウムクロライド、ジラウリルジメチルアンモニウムクロライド、ジステアリルジメチルアンモニウムクロライド等のジアルキル第四級アンモニウム塩；ラノリン脂肪酸アミノプロピルエチルジメチルアンモニウムエチル硫酸、ラウロイルアミノエチルメチルジエチルアンモニウムメチル硫酸等のアシルアミノアルキル第四級アンモニウム塩；ジパルミチルポリエテノキシエチルアンモニウムクロライド、ジステアリルポリエテノキシメチルアンモニウムクロライド等のアルキルエテノキシ第四級アンモニウム塩；ラウリルイソキノリニウムクロライド等のアルキルイソキノリニウム塩；ラウリルジメチルベンジルアンモニウムクロライド、ステアリルジメチルベンジルアンモニウムクロライド等のベンザルコニウム塩；ベンジルジメチル｛２−［２−（ｐ-１,１,３,３、-テトラメチルブチルフェノオキシ）エトオキシ］エチル｝アンモニウムクロライド等のベンゼトニウム塩；セチルピリジニウムクロライド等のピリジニウム塩；イミダゾリニウム塩；Ｎ−ココイルアルギニンエチルエステルピロリドンカルボン酸塩、Ｎ−ラウロイルリジンエチルエチルエステル塩酸塩等のアシル塩基性アミノ酸アルキルエステル塩；ラウリルアミン塩酸塩等の第一級アミン塩；ジラウリルアミン酢酸塩等の第二級アミン塩；第三級アミン塩；脂肪酸アミドグアニジニウム塩；ラウリルトリエチレングリコールアンモニウムハイドロオキサイド等のアルキルトリアルキレングリコールアンモニウム塩等が挙げられる。
好ましくは、モノアルキル第四級アンモニウム塩等が挙げられる。
【００３４】
洗浄剤組成物は、洗浄性の向上や様々な材形に使用する観点で、上記界面活性剤を、洗浄剤組成物中、好ましくは１〜５０質量％、より好ましくは３〜４０質量％含有する。
【００３５】
本実施の形態の洗浄剤組成物は、刺激の緩和の観点で、一般式（５）で表される多鎖多親水基化合物を、さらに含有することが好ましい。
一般式（５）：
Ｑｎ−Ｘ
〔式中、Ｘはｍ個の官能基、および官能基以外の置換基を有していてもよい分子量１００万以下の直鎖、分枝鎖もしくは環状鎖の炭化水素鎖または芳香族炭化水素鎖であるスペーサーを示す。Ｘに結合しているｎ（ｍ≧ｎ）個のＱは、下記一般式（６）で表される基であり、それぞれ互いに同一であってもよく、異なっていてもよい。ｎは２〜２０の整数を示し、ｍはｍ≧ｎである整数を示す。
一般式（６）：
【化８】
2010241909.tif 000009
（式中、ＺはＸの有する官能基に由来する結合部であり、Ｒ４ＣＯは炭素数８〜２０の飽和または不飽和の脂肪酸から誘導される長鎖アシル基を示し、Ｒ５は水素原子を示すか、ヒドロキシル基、カルボキシル基、スルホン酸基、硫酸エステル基、リン酸エステル基またはそれらの塩等で置換されていてもよい炭素数１〜３のアルキル基を示し、Ｙはカルボキシル基、スルホン酸基、硫酸エステル基、リン酸エステル基またはそれらの塩を示す。ｊおよびｋは、それぞれ独立に０〜２の整数を示し、ｊおよびｋは同時に０ではない。）〕
【００３６】
多鎖多親水基化合物は、長鎖疎水基として、それぞれ独立に、炭素数８〜２０個の飽和または不飽和の直鎖、分枝鎖、環状鎖からなるＲ４ＣＯなどの基を有し、親水基として、それぞれ独立に、カルボキシル基、スルホン酸基、硫酸残基、リン酸残基またはそれらの塩等、あるいはオキシアルキレン基、ポリエチレングリコール基等、またはアミノ基、４級アンモニウム基、ピリジニウム基、スルホニウム基またはそれらの塩等であるＹなどの基を有する化合物である。
【００３７】
多鎖多親水基化合物の長鎖疎水基としては、例えば、ｎ−オクチル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、ｎ−エイコシル等の各残基とこれらの分枝鎖異性体、ならびにこれらに対応した、１カ所、２カ所または３カ所に不飽和部分を有する不飽和残基等が挙げられる。
【００３８】
また、多鎖多親水基化合物の長鎖疎水基としては、炭素数８〜２０の飽和または不飽和の脂肪酸から誘導される長鎖アシル基であり、アシル基としては、それぞれ、独立して、すなわち、それぞれ異なっていても同一であってもよい。
例えば、カプリル酸、ペラルゴン酸、カプリン酸、ウンデカン酸、ラウリン酸、トリデカン酸、ミリスチン酸、ペンタデカン酸、パルミチン酸、マルガリン酸、ステアリン酸、ノナデカン酸、アラキン酸のような直鎖脂肪酸；２−ブチル−５−メチルペンタン酸、２−イソブチル−５−メチルペンタン酸、ジメチルオクタン酸、ジメチルノナン酸、２−ブチル−５−メチルヘキサン酸、メチルウンデカン酸、ジメチルデカン酸、２−エチル−３−メチルノナン酸、２，２−ジメチル−４−エチルオクタン酸、メチルドコサン酸、２−プロピル−３−メチルノナン酸、メチルトリデカン酸、ジメチルドデカン酸、２−ブチル−３−メチルノナン酸、メチルテトラデカン酸、エチルトリデカン酸、プロピルドデカン酸、ブチルウンデカン酸、ペンチルデカン酸、ヘキシルノナン酸、２−（３−メチルブチル）−３−メチルノナン酸、２−（２−メチルブチル）−３−メチルノナン酸、ブチルエチルノナン酸、メチルペンタデカン酸、エチルテトラデカン酸、プロピルトリデカン酸、ブチルドデカン酸、ペンチルウンデカン酸、ヘキシルデカン酸、ヘプチルノナン酸、ジメチルテトラデカン酸、ブチルペンチルヘプタン酸、トリメチルトリデカン酸、メチルヘキサデカン酸、エチルペンタデカン酸、プロピルテトラデカン酸、ブチルトリデカン酸、ペンチルドデカン酸、ヘキシルウンデカン酸、ヘプチルデカン酸、メチルヘプチルノナン酸、ジペンチルヘプタン酸、メチルヘプタデカン酸、エチルヘキサデカン酸、エチルヘキサデカン酸、プロピルペンタデカン酸、ブチルテトラデカン酸、ペンチルトリデカン酸、ヘキシルドデカン酸、ヘプチルウンデカン酸、オクチルデカン酸、ジメチルヘキサデカン酸、メチルオクチルノナン酸、メチルオクタデカン酸、エチルヘプタデカン酸、ジメチルヘプタデカン酸、メチルオクチルデカン酸、メチルノナデカン酸、メチルノナデカン酸、ジメチルオクタデカン酸、ブチルヘプチルノナン酸のような分岐脂肪酸；オクテン酸、ノネン酸、デセン酸、カプロレイン酸、ウンデシレン酸、リンデル酸、トウハク酸、ラウロレイン酸、トリデセン酸、ツズ酸、ミリストレイン酸、ペンタデセン酸、ヘキセデセン酸、パルミトレイン酸、ヘプタデセン酸、オクタデセン酸、オレイン酸、ノナデセン酸、ゴンドイン酸のような直鎖モノエン酸；メチルヘプテン酸、メチルノネン酸、メチルウンデセン酸、ジメチルデセン酸、メチルドデセン酸、メチルトリデセン酸、ジメチルドデセン酸、ジメチルトリデセン酸、メチルオクタデセン酸、ジメチルヘプタデセン酸、エチルオクタデセン酸のような分岐モノエン酸；リノール酸、リノエライジン酸、エレオステアリン酸、リノレン酸、リノレンエライジン酸、プソイドエレオステアリン酸、パリナリン酸、アラキドン酸のようなジまたはトリエン酸；オクチン酸、ノニン酸、デシン酸、ウンデシン酸、ドデシン酸、トリデシン酸、テトラデシン酸、ペンタデシン酸、ヘプタデシン酸、オクタデシン酸、ノナデシン酸、ジメチルオクタデシン酸のようなアセチレン酸；メチレンオクタデセン酸、メチレンオクタデカン酸、アレプロール酸、アレプレスチン酸、アレプリル酸、アレプリン酸、ヒドノカルプン酸、ショールムーグリン酸、ゴルリン酸、α−シクロペンチ���酸、α−シクロヘキシル酸、α−シクロペンチルエチル酸のような環状酸；から誘導されるアシル基が挙げられる。
また、天然油脂から得られる脂肪酸由来のアシル基でもよく、上記の炭素数８〜２０の飽和または不飽和脂肪酸を８０％以上含む混合脂肪酸由来のアシル基が好ましい。例えば、ヤシ油脂肪酸、パーム油脂肪酸、アマニ油脂肪酸、ヒマワリ油脂肪酸、大豆油脂肪酸、ゴマ油脂肪酸、ヒマシ油脂肪酸、オリーブ油脂肪酸、ツバキ油脂肪酸、菜種油脂肪酸、パーム核油脂肪酸等から誘導されるアシル基等が挙げられる。これらアシル化合物は２種以上組み合わせて用いてもよい。
【００３９】
多鎖多親水基化合物を塩として用いる場合には、例えば塩としては、アルカリ金属塩、アルカリ土類金属塩、アンモニウム塩、有機アミン塩、塩基性アミノ酸塩等が挙げられ、具体的には、ナトリウム、カリウム、リチウム等のアルカリ金属、カルシウム、マグネシウム等のアルカリ土類金属、アルミニウム、亜鉛等の金属、アンモニア、モノエタノールアミン、ジエタノールアミン、トリエタノールアミン、トリイソプロパノールアミン等の有機アミン、アルギニン、リジン等の塩基性アミノ酸等から任意に選ばれる１種または２種以上との塩である。これらの中でも、ナトリウム塩、カリウム塩、有機アミン塩、塩基性アミノ酸塩が特に好ましい。
【００４０】
一般式（５）中、Ｘに結合したｎ個の置換基Ｑは、それぞれ異なっても同一でもよい。
【００４１】
一般式（６）中、Ｒ４ＣＯで示されるアシル基は、それぞれ独立して、すなわち、それぞれ異なっても同一でもよく、炭素数８〜２０の飽和または不飽和の脂肪酸から誘導されるものであれば何でもよく、直鎖、分岐、環状を問わない。
【００４２】
一般式（６）中、Ｒ５は水素であるか、またはヒドロキシル基、カルボキシル基、スルホン酸基、硫酸エステル基、リン酸エステル基またはそれらの塩等で置換されていてもよい炭素数１〜３のアルキル基を示し、例えば、メチル基、エチル基、プロピル基、イソプロピル基、ヒドロキシメチル基、ヒドロキシエチル基、ヒドロキシ（イソ）プロピル基、ジヒドロキシ（イソ）プロピル基、カルボキシメチル基、カルボキシエチル基、カルボキシプロピル基、スルホエチル基等が挙げられる。
【００４３】
一般式（６）は、いわゆる酸性アミノ酸がＮ−アシル化された基であることが好ましく、酸性アミノ酸の光学異性については、例えば、Ｄ−体、Ｌ−体、ラセミ体、ＤＬ体の任意の範囲の混合物であってもよいが、Ｌ−体であることが生分解性に優れるため好ましい。
酸性アミノ酸は、分子中に存在するカルボキシル基とアミノ基の数がそれぞれ２個と１個のモノアミノジカルボン酸であることが好ましい。
酸性アミノ酸としては、例えば、グルタミン酸、アスパラギン酸、ランチオニン、β−メチルランチオニン、シスタチオニン、ジエンコール酸、フェリニン、アミノマロン酸、β−オキシアスパラギン酸、α−アミノ−α−メチルコハク酸、β−オキシグルタミン酸、γ−オキシグルタミン酸、γ−メチルグルタミン酸、γ−メチレングルタミン酸、γ−メチル−γ−オキシグルタミン酸、α−アミノアジピン酸、α−アミノ−γ−オキシアジピン酸、α−アミノピメリン酸、α−アミノ−γ−オキシピメリン酸、β−アミノピメリン酸、α−アミノスベリン酸、α−アミノセバシン酸、パントテン酸等が挙げられる。
【００４４】
一般式（６）中、Ｚは、Ｘの有するｍ個（ｍ≧ｎ、かつ、２〜２０の整数）の官能基（ヒドロキシル基、アミノ基、チオール基）に由来する結合部（−Ｏ−、−ＮＲ６−、−Ｓ−）である。
Ｒ６は水素、または炭素数１〜１０のアルキル基またはアルケニル基またはアリール基またはアルキルアリール基である。
一般式（５）中、Ｘはヒドロキシル基、アミノ基、チオール基から選ばれる１種または２種以上からなるｍ個の官能基を有する分子量１００万以下の直鎖または分枝鎖または環状鎖または芳香族炭化水素鎖であるスペーサーであり、Ｘは、前記ヒドロキシル基、アミノ基、チオール基以外の置換基を有していてもよい。
【００４５】
一般式（５）中、Ｘは好ましくはヒドロキシル基、アミノ基、チオール基から選ばれる１種または２種以上の官能基をｍ個有する分子量１００万以下のｍ価の化合物の残基であって、ヒドロキシル基、アミノ基、チオール基以外の置換基を有していてもよい化合物残基である。ここで、ｍ価の化合物とは、ｍ個の官能基に由来する結合を作りうることを意味する。ｍ価の化合物の光学異性については、例えば、Ｄ−体、Ｌ−体、ラセミ体、ＤＬ体の任意の範囲の混合物であるかは問わない。
【００４６】
このようなｍ価の化合物としては、例えば、セリン、トレオニン、システイン、シスチン、シスチンジスルホキシド、シスタチオニン、メチオニン、アルギニン、リジン、チロシン、ヒスチジン、トリプトファン、オキシプロリン等のアミノ酸類；アミノエタノール、アミノプロパノール、アミノブタノール、アミノペンタノール、アミノヘキサノール、アミノプロパンジオール、アミノエチルエタノールアミン、アミノエチルアミノエタノール、アミノクレゾール、アミノナフトール、アミノナフトールスルホン酸、アミノヒドロキシ安息香酸、アミノヒドロキシブタン酸、アミノフェノール、アミノフェネチルアルコール、グルコサミン等の分子内にアミノ基とヒドロキシル基を有する化合物類；メルカプトエタノール、メルカプトフェノール、メルカプトプロパンジオール、グルコチオース等の分子内にチオール基とヒドロキシル基を有する化合物類；アミノチオフェノール、アミノトリアゾールチオール等の分子内にチオール基とアミノ基を有する化合物類；等が挙げられる。また、タンパク質やペプチド等、またはそれらを加水分解したもの等でも良い。
【００４７】
一般式（５）中、Ｘは好ましくはヒドロキシル基以外の置換基を有していてもよい分子量１００万以下のｍ価（ｍ≧ｎ）のポリヒドロキシル化合物残基である。ここで、ｍ価のポリヒドロキシル化合物は、ｍ個のエステル結合を作りうることを意味する。ｍ価のポリヒドロキシル化合物の光学異性については、例えば、Ｄ−体、Ｌ−体、ラセミ体、ＤＬ体の任意の範囲の混合物であるかは問わない。
【００４８】
このようなｍ価のポリヒドロキシル化合物としては、例えば、エチレングリコール、１，２−プロパンジオール、１，３−プロパンジオール、１，２−ブタンジオール、１，３−ブタンジオール、１，４−ブタンジオール、ペンタンジオール、１，６−ヘキサンジオール、シクロヘキサンジオール、ジメチロールシクロヘキサン、ネオペンチルグリコール、１，８−オクタンジオール、２，２，４−トリメチル−１，３−ペンタンジオール、イソプレングリコール、３−メチル−１，５−ペンタンジオール、ソルバイト、カテコール、レゾルシン、ヒドロキノン、ビスフェノールＡ、ビスフェノールＦ、水添ビスフェノールＡ、水添ビスフェノールＦ、ダイマージオール、ジメチロールプロピオン酸、ジメチロールブタン酸、酒石酸、ジヒドロキシ酒石酸、メバロン酸、３，４−ジヒドロキシけい皮酸、３，４−ジヒドロキシヒドロけい皮酸、ヒドロキシ安息香酸、ジヒドロキシステアリン酸、ジヒドロキシフェニルアラニン等およびこれらの各異性体等の２価ヒドロキシル化合物；グリセリン、トリオキシイソブタン、１，２，３−ブタントリオール、１，２，３−ペンタントリオール、２−メチル−１，２，３−プロパントリオール、２−メチル−２，３，４−ブタントリオール、２−エチル−１，２，３−ブタントリオール、２，３，４−ペンタントリオール、２，３，４−ヘキサントリオール、４−プロピル−３，４，５−ヘプタントリオール、２，４−ジメチル−２，３，４−ペンタントリオール、１，２，４−ブタントリオール、１，２，４−ペンタントリオール、トリメチロールエタン、トリメチロールプロパン、ジエタノールアミン、トリエタノールアミン、トリヒドロキシステアリン酸等の３価ポリヒドロキシル化合物；ペンタエリスリトール、エリスリトール、１，２，３，４−ペンタンテトロール、２，３，４，５−ヘキサンテトロール、１，２，４，５−ペンタンテトロール、１，３，４，５−ヘキサンテトロール、ジグリセリン、ソルビタン等の４価ポリヒドロキシル化合物；アドニトール、アラビトール、キシリトール、トリグリセリン等の５価ポリヒドロキシル化合物；ジペンタエリスリトール、ソルビトール、マンニトール、イジトール、イノシトール、ダルシトール、タロース、アロース等の６価ポリヒドロキシル化合物；またはこれらの脱水縮合物、ポリグリセリン等が挙げられる。
【００４９】
また、糖類、例えば、エリスロース、スレオース、エリスルロース等のテトロース；リボース、アラビノース、キシロース、リクソース、キシルロース、リブロース等のペントース；アロース、アルトロース、グルコース、マンノース、ギューロース、イドース、ガラクトース、タロース、フラクトース、ソルボース、プシコース、タガトース等のヘキソース等の単糖類；マルトース、イソマルトース、セロビオース、ゲンチオビオース、メリビオース、ラクトース、ツラノース、トレハロース、サッカロース、マンニトリオース、セロトリオース、ゲンチアノース、ラフィノース、メレチトース、セロテトロース、スタキオース等のオリゴ糖類が挙げられる。
【００５０】
また、その他の糖類、例えば、ヘプトース、デオキシ糖、アミノ糖、チオ糖、セレノ糖、アルドン糖、ウロン酸、糖酸、ケトアルドン酸、アンヒドロ糖、不飽和糖、糖エステル、糖エーテル、グリコシド等の残基でもよく、デンプン、グリコーゲン、セルロース、キチン、キトサン等の多糖類またはそれらを加水分解したものでもよい。
【００５１】
一般式（５）中、Ｘは好ましくはアミノ基以外の置換基を有していてもよい分子量１００万以下のｍ価のポリアミノ化合物残基である。ここで、ｍ価のポリアミノ化合物は、ｍ個の酸アミド結合を作りうることを意味する。ｍ価のポリアミノ化合物の光学異性については、例えば、Ｄ−体、Ｌ−体、ラセミ体、ＤＬ体の任意の範囲の混合物であるかは問わない。
【００５２】
このようなｍ価のポリアミノ化合物としては、例えば、Ｎ，Ｎ’−ジメチルヒドラジン、エチレンジアミン、Ｎ，Ｎ’−ジメチルエチレンジアミン、ジアミノプロパン、ジアミノブタン、ジアミノペンタン、ジアミノヘキサン、ジアミノヘプタン、ジアミノオクタン、ジアミノノナン、ジアミノデカン、ジアミノドデカン、ジアミノアジピン酸、ジアミノプロパン酸、ジアミノブタン酸およびこれらの各異性体等の脂肪族ジアミン類；ジエチレントリアミン、トリアミノヘキサン、トリアミノドデカン、１，８−ジアミノ−４−アミノメチル−オクタン、２，６−ジアミノカプリン酸−２−アミノエチルエステル、１，３，６−トリアミノヘキサン、１，６，１１−トリアミノウンデカン、ジ（アミノエチル）アミンおよびこれらの各異性体等の脂肪族トリアミン類；ジアミノシクロブタン、ジアミノシクロヘキサン、３−アミノメチル−３，５，５−トリメチルシクロヘキシルアミン、トリアミノシクロヘキサン等の脂環族ポリアミン類；ジアミノベンゼン、ジアミノトルエン、ジアミノ安息香酸、ジアミノアントラキノン、ジアミノベンゼンスルホン酸、ジアミノ安息香酸、およびこれらの各異性体等の芳香族ポリアミン類；ジアミノキシレン、ジ（アミノメチル）ベンゼン、ジ（アミノメチル）ピリジン、ジ（アミノメチル）ナフタレン、およびこれらの各異性体等の芳香脂肪族ポリアミン類；ジアミノヒドロキシプロパンおよびこれらの各異性体等のヒドロキシル基が置換したポリアミン類等が挙げられる。
【００５３】
一般式（５）中、Ｘは好ましくはチオール基以外の置換基を有していてもよい分子量１００万以下のｍ価のポリチオール化合物残基である。ここで、ｍ価のポリチオール化合物は、ｍ個のチオエステル結合を作りうることを意味する。ｍ価のポリチオール化合物の光学異性については、例えば、Ｄ−体、Ｌ−体、ラセミ体、ＤＬ体の任意の範囲の混合物であるかは問わない。
【００５４】
このようなｍ価のポリチオール化合物としては、例えば、ジチオエチレングリコール、ジチオエリトリトール、ジチオトレイトール等のジチオール化合物類等が挙げられる。
【００５５】
Ｘは上に挙げた化合物の残基の中でも、炭素数１〜４０の場合が好ましい、さらに好ましくは、Ｘは炭素数１〜２０である。また、Ｘは天然に存在する構造であるスペーサーである場合の方が、生分解性に優れるという点で好ましい。
【００５６】
一般式（６）中、Ｙで示されるカルボキシル基、スルホン酸基、硫酸エステル基、リン酸エステル基およびＸ中に含まれうるカルボキシル基、スルホン酸基、硫酸エステル基、リン酸エステル基等は、種々の塩基性物質との間に塩を形成し得る。かかる塩としては、例えばアルカリ金属塩、アルカリ土類金属塩、アンモニウム塩、有機アミン塩、塩基性アミノ酸塩、多価金属塩等が挙げられ、具体的には、ナトリウム、カリウム、リチウム等のアルカリ金属、カルシウム、マグネシウム等のアルカリ土類金属、アルミニウム、亜鉛、鉄、コバルト、チタン、ジルコニウム等の金属、アンモニア、モノエタノールアミン、ジエタノールアミン、トリエタノールアミン、トリイソプロパノールアミン等の有機アミン、アルギニン、リジン等の塩基性アミノ酸等から任意に選ばれる１種または２種以上との塩である。
【００５７】
一般式（５）で表される多鎖多親水基化合物としては、例えば、ジラウロイルグルタミン酸リシン、ジラウロイルグルタミン酸リシンナトリウム、ジラウロイルグルタミン酸リシンカリウム、ジミリストイルグルタミン酸リシン、ジミリストイルグルタミン酸リシンナトリウム、ジミリストイルグルタミン酸リシンカリウム、ジパルミトイルグルタミン酸リシン、ジパルミトイルグルタミン酸リシンナトリウム、ジパルミトイルグルタミン酸リシンカリウム、ジステアロイルグルタミン酸リシン、ジステアロイルグルタミン酸リシンナトリウム、ジステアロイルグルタミン酸リシンカリウム、ジイソステアロイルグルタミン酸リシン、ジイソステアロイルグルタミン酸リシンナトリウム、ジイソステアロイルグルタミン酸リシンカリウム、ジオレオイルグルタミン酸リシン、ジオレオイルグルタミン酸リシンナトリウム、ジオレオイルグルタミン酸リシンカリウム、ジリノレオイルグルタミン酸リシン、ジリノレオイルグルタミン酸リシンナトリウム、ジリノレオイルグルタミン酸リシンカリウム、ジヤシ油脂肪酸アシルグルタミン酸リシン、ジヤシ油脂肪酸アシルグルタミン酸リシンナトリウム、ジヤシ油脂肪酸アシルグルタミン酸リシンカリウム、ジパーム油脂肪酸アシルグルタミン酸リシン、ジパーム油脂肪酸アシルグルタミン酸リシンナトリウム、ジパーム油脂肪酸アシルグルタミン酸リシンカリウム、ジパーム核油脂肪酸アシルグルタミン酸リシン、ジパーム核油脂肪酸アシルグルタミン酸リシンナトリウムジパーム核油脂肪酸アシルグルタミン酸リシンカリウム、等のジアシルグルタミン酸リシン及びその塩等が挙げられる。好ましくはジラウロイルグルタミン酸リシン、ジラウロイルグルタミン酸リシンナトリウム、ジラウロイルグルタミン酸リシンカリウムが挙げられる。
【００５８】
洗浄剤組成物は、刺激の緩和の観点で、上記多鎖多親水基化合物を、洗浄剤組成物中に、好ましくは０．００１〜１０質量％、より好ましくは０．００１〜３質量％含有する。
【００５９】
本実施の形態の洗浄剤組成物には、その効果を損なわない範囲において、通常、洗浄剤または化粧料として用いられる各種成分を、その目的に応じて適宜配合することができる。
これらの成分としては、例えば、炭酸カルシウム、タルク、マイカ、カオリン、二酸化チタン、二酸化亜鉛等の粉末成分；ホホバ油、マカデミアナッツ油、アボガド油、月見草油、ミンク油、ナタネ油、ヒマシ油、ヒマワリ油、トーモロコシ油、カカオ油、ヤシ油、コメヌカ油、オリーブ油、アーモンド油、ごま油、サフラワー油、大豆油、椿油、パーシック油、ヒマシ油、ミンク油、綿実油、モクロウ、パーム油、パーム核油、卵黄油、ラノリン、スクワレン等の天然動植物油脂類；合成トリグリセライド；スクワラン、流動パラフィン、ワセリン、セレシン、マイクロクリスタリンワックス、イソパラフィン等の炭化水素類；カルナバウロウ、パラフィンワックス、鯨ロウ、ミツロウ、キヤンデリラワックス、ラノリン等のワックス類；セタノール、ステアリルアルコール、ラウリルアルコール、セトステアリルアルコール、オレイルアルコール、ベヘニルアルコール、ラノリンアルコール、水添ラノリンアルコール、ヘキシルデカノール、オクチルドデカノール等の高級アルコール類；コレステリル−オクチルドデシル−ベヘニル等のコレステロールおよびその誘導体；イソプロピルミリスチン酸、イソプロピルパルミチン酸、イソプロピルステアリン酸、２エチルヘキサン酸グリセロール、ブチルステアリン酸、リノール酸エチル等のエステル類；ジエチレングリコールモノプロピルエーテル、ポリオキシエチレンポリオキシプロピレンペンタエリトリトールエーテル、ポリオキシプロピレンブチルエーテル等の極性オイル；メチルフェニルポリシロキサン、メチルポリシロキサン、オクタメチルシクロテトラシロキサン、デカメチルシクロペンタシロキサン、ドデカメチルシクロヘキサシロキサン、メチルシクロポリシロキサン、オクタメチルトリシロキサン、デカメチルテトラシロキサン、ポリオキシエチレン・メチルポリシロキサン共重合体、ポリオキシプロピレン・メチルポリシロキサン共重合体、ポリ（オキシエチレン・オキシプロピレン）メチルポリシロキサン共重合体、メチルハイドロジェンポリシロキサン、テトラヒドロテトラメチルシクロテトラシロキサン、ステアロキシメチルポリシロキサン、セトキシメチルポリシロキサン、メチルポリシロキサンエマルション、高重合メチルポリシロキサン、トリメチルシロキシケイ酸、架橋型メチルポリシロキサン、架橋型メチルフェニルポリシロキサン等、更にはアミノ変性シリコーン、エポキシ変性シリコーン、カルボキシル変性シリコーン、カルビノール変性シリコーン、メタクリル変性シリコーン、メルカプト変性シリコーン、フェノール変性シリコーン、片末端反応性シリコーン、異種官能基変性シリコーン、ポリエーテル変性シリコーン、メチルスチリル変性シリコーン、アルキル変性シリコーン、高級脂肪酸エステル変性シリコーン、親水性特殊変性シリコーン、高級アルコキシ変性シリコーン、高級脂肪酸含有シリコーン、フッ素変性シリコーン等の各種誘導体を含むシリコーン類；パラアミノ安息香酸およびその誘導体、ホモメチル−７Ｎ−アセチルアラントイラニレート、ブチルメトキシベンゾイルメタン、ジ−パラメトキシケイ皮酸−モノ−２−エチルヘキサン酸グリセリル、オクチルシンナメート等のパラメトキシケイ皮酸誘導体、アミルサリシレート等のサリチル酸誘導体、２，４−ジヒドロキシベンゾフェノン等のベンゾフェノン誘導体；ジメトキシベンジリデンジオキソイミダゾリンプロピオン酸エチルヘキシル、酢酸液状ラノリン、コガネバナ根抽出エキス、トリアニリノ−ｐ−カルボエチルヘキシルオキシ−トリアジン等の紫外線吸収剤；アルブチン、コウジ酸、リン酸アスコルビン酸マグネシウム等のアスコルビン酸およびその誘導体；グルタチオン、甘草エキス、チョウジエキス、茶抽出物、アスタキサンチン、牛胎盤エキス、トコフェロールおよびその誘導体、トラネキサム酸およびその塩、アズレン、γ−ヒドロキシ酪酸等の美白成分；マルチトール、ソルビトール、グリセリン、プロピレングリコール、１，３−ブチレングリコール、ポリエチレングリコール、グリコール等の多価アルコール、ピロリドンカルボン酸ソーダ、乳酸ソーダ、クエン酸ソーダ等有機酸およびその塩；ヒアルロン酸ソーダ等ヒアルロン酸およびその塩、酵母および酵母抽出液の加水分解物、酵母培養液、乳酸菌培養液等醗酵代謝産物、コラーゲン、エラスチン、ケラチン、セリシン等の水溶性蛋白、コラーゲン加水分解物、カゼイン加水分解物、シルク加水分解物、ポリアスパラギン酸ナトリウム等のぺプチド類およびその塩、トレハロース、キシロビオース、マルトース、ラフィノース、メリビオース、蔗糖、ブドウ糖、植物性粘質多糖等の糖類、結晶性セルロース、非結晶性セルロース、キシラン、マンナン、ガラクタン、アラビナン、アラビノキシラン等の多糖類およびその誘導体；水溶性キチン、キトサン、ペクチン、コンドロイチン硫酸およびその塩等のグリコサミノグリカンおよびその塩；グリシン、セリン、スレオニン、アラニン、アスパラギン酸、チロシン、バリン、ロイシン、アルギニン、グルタミン、プロリン酸等のアミノ酸；アミノカルボニル反応物等の糖アミノ酸化合物、アロエ、マロニエ等の植物抽出液；トリメチルグリシン、ベタイン、尿素、尿酸、アンモニア、レシチン、ラノリン、スクワラン、スクワレン、グルコサミン、クレアチニン、ＤＮＡ、ＲＮＡ等の核酸関連物質等の保湿剤；カルボキシメチルセルロース、ヒドロキシエチルセルロース、ヒドロキシプロピルトリメチルアンモニウムクロリドエーテル、メチルセルロース、エチルセルロース、ヒドロキシプロピルセルロース、メチルヒドロキシプロピルセルロース、カチオン化セルロース、デンプン、可溶性デンプン、カルボキシメチルデンプン、メチルデンプン、アルギン酸プロピレングリコールエステル、メチルセルロース、アラビアガム、キサンタンガム、グアーガム、ローカストビンガム、クインスシード、カラギーナン、ガラクタン、ペクチン、マンナン、デキストラン、サクシノグルカン、カードラン、ゼラチン、カゼイン、アルブミン、コラーゲン、メトキシエチレン無水マレイン酸共重合体、両性メタクリル酸エステル共重合体、ポリ塩化ジメチルメチレンピペリジニウム、ポリアクリル酸エステル共重合体、ポリ酢酸ビニル、ポリビニルアルコール、ポリビニルピロリドン、ポリビニルメチルエーテル、カルボキシビニルポリマー、ポリアクリル酸、ニトロセルロース、ポリエチレングリコール脂肪酸エステル、ジステアリン酸ポリエチレングリコール等���ポリオキシエチレン脂肪酸エステル、ポリオキシエチレンジオレイン酸メチルグルコシド等のポリオキシエチレン脂肪酸エステルメチルグリコシド、セテアレス−60ミリスチルグリコール、塩化O-[2-ヒドロキシ-3-（トリメチルアンモニオ）プロピル]ヒドロキシエチルセルロース等の増粘剤；エチレンジアミン四酢酸およびその塩類、ヒドロキシエチレンジアミン三酢酸およびその塩類、リン酸、アスコルビン酸、コハク酸、グルコン酸、ポリリン酸塩類、メタリン酸塩類、ヒドロキシエタンジホスホン酸等の金属イオン封鎖剤；エタノール、プロピレングリコール、１，３−ブチレグリコール等の有機溶剤、ブチルヒドロキシトルエン、トコフェロール、フィチン酸等の酸化防止剤；クエン酸、リンゴ酸、酒石酸、乳酸、アジピン酸、グルタミン酸、アスパラギン酸、マレイン酸等の有機酸；ビタミンＡ及びその誘導体；ビタミンＢ６塩酸塩、ビタミンＢ６トリパルミテート、ビタミンＢ６ジオクタノエート、ビタミンＢ２及びその誘導体等のビタミンＢ類；アスコルビン酸、アスコルビン酸硫酸エステル、アスコルビン酸リン酸エステル等のビタミンＣ類、αトコフェロール、βトコフェロール、γトコフェロール等のビタミンＥ類、ビタミンＤ類、ビタミンＨ、パントテン酸等のビタミン類；ニコチン酸アミド、ニコチン酸ベンジル、γ−オリザノール、アラントイン、グリチルリチン酸（塩）グリチルレチン酸およびその誘導体；ヒノキチオール、ムシジン、ビサボロール、ユーカリプトール、チモールイノシトール、サポニン類（キラヤサポニン、アズキサポニン、ヘチマサポニン等）トラネキサム酸、パントテルエチルエーテル、エチニルエストラジオール、セファランジン、プラセンタエキス、センブリエキス、セファランチン、ビタミンＥおよびその誘導体、ガンマーオリザノール等の血行促進剤；トウガラシチンキ、ショオウキョウチンキ、カンタリスチンキ、ニコチン酸ベンジルエステル等の局所刺激剤、各種ビタミンやアミノ酸等の栄養剤、グリチルレチン酸、グリチルリチン酸誘導体、アラントイン、アズレン、アミノカプロン酸、ヒドロコルチゾン等の抗炎症剤；酸化亜鉛、硫酸亜鉛、アラントインヒドロキシアルミニウム、塩化アルミニウム、スルホ石炭酸亜鉛、タンニン酸等の収斂剤；メントール、カンフル等の清涼剤；抗ヒスタミン剤；トコフェロール類、ＢＨＡ、ＢＨＴ、没食子酸、ＮＤＧＡ、ユビキノン等の酸化防止剤等の各種薬剤；サッカロマイセス等の酵母、糸状菌、バクテリア、牛胎盤、人胎盤、人臍帯、酵母、牛コラーゲン、牛乳由来蛋白、小麦、大豆、牛血液、ブタ血液、鶏冠、カミツレ、キュウリ、コメ、シアバター、シラカバ、茶、トマト、ニンニク、ハマメリス、バラ、ヘチマ、ホップ、モモ、アンズ、レモン、キウイ、ドクダミ、トウガラシ、クララ、ギシギシ、コウホネ、セージ、ノコギリ草、ゼニアオイ、センキュウ、センブリ、タイム、トウキ、トウヒ、バーチ、スギナ、ヘチマ、マロニエ、ユキノシタ、アルニカ、ユリ、ヨモギ、シャクヤク、アロエ、アロエベラ、オウゴン、オウバク、コウカ、ベニバナ、サンシン、シコン、タイソウ、チンピ、ニンジン、ヨクイニン、ハトムギ、クチナシ、サワラ等の動植物・微生物およびその一部から有機溶媒、アルコール、多価アルコール、水、水性アルコール等で抽出または加水分解して得た天然エキス；色素；香料；ラノリン、コレステロール、サポニン等；アルギン酸ナトリウム、澱粉誘導体、トラガントゴム等の高分子化合物；安息香酸およびその塩、サリチル酸およびその塩、ソルビン酸およびその塩、パラオキシ安息香酸アルキルエステル（メチルパラベン、エチルパラベン、ブチルパラベン等）およびその塩、デヒドロ酢酸およびその塩類、パラクロルメタクレゾール、ヘキサクロロフェン、ホウ酸、レゾルシン、トリブロムサラン、オルトフェニルフェノール、グルコン酸クロルヘキシジン、チラム、感光素２０１号、フェノキシエタノール、塩化ベンザルコニウム、塩化ベンゼトニウム、ハロカルバン、塩化クロルヘキシジン、トリクロロカルバニド、酢酸トコフェノール、ジンクピリチオン、ヒノキチオール、フェノール、イソプロピルメチルフェノール、２、４、４−トリクロロ−２−ヒドロキシフェノール、ヘキサクロロフェン、メチルイソチアゾリノン等の抗菌・防腐剤；精製水等が挙げられる。
【００６０】
本実施の形態において、洗浄剤組成物中に、粉末成分をさらに含有することは、物理的な摩擦効果によって洗浄力を高めると共に、粒子表面に汚れを吸着することで有効である。
また、油性成分をさらに含有することは、油性成分の溶剤効果により油性の汚れを可溶化する効果があるために洗浄力の向上に適している。油性成分の中でも、シリコーン類との併用は使用後にさっぱりした感触を与える為に有効である。
保湿剤をさらに含有することは、過剰な脱脂による皮膚の荒れを防止することができ、使用感の向上に寄与する。
金属イオン封鎖剤または酸化防止剤をさらに含有することは、長期間または過酷な使用条件下における製品の変化を防止し、良好な使用感を提供しつづける上で有効である。
【００６１】
本実施の形態の洗浄剤組成物は、特に限定されず、従来公知の方法により、各成分を混合することにより製造することができる。
【００６２】
本実施の形態の洗浄剤組成物は、ボディーシャンプー、固形石鹸、頭髪用シャンプー、洗顔液、洗顔フォームなど身体の洗浄剤として用いることができる。
本実施の形態の洗浄剤組成物は、液体、クリーム、フォーム、固形物などの形態で用いることができる。本実施の形態の洗浄剤組成物は、特に限定されるものではないが、上述したような配合成分を含み、その形態に応じて、１００質量％となるように精製水などの溶媒を含むことが好ましい。
中でも、泡吐出用の洗浄剤組成物として用いることが好適である。
【００６３】
本実施の形態において、泡吐出容器としては、ノズル部または釦部を押し下げることによって泡を吐出するフォーマーポンプ式およびボトル胴部を圧縮することによって泡を吐出するスクイズ式があり、そのいずれもが適用可能であるが、特にフォーマーポンプ式においては、使用が容易でクリーミーな泡を生成することができるのみならず、ボトルに最小限しか触れずに内容物を吐出させることができるためにボトルが汚れにくく、衛生上も好ましい。
【実施例】
【００６４】
以下、本実施の形態を実施例および比較例により更に具体的に説明するが、本実施の形態はこれらの実施例のみに限定されるものではない。
本実施の形態に用いられる洗浄剤組成物の諸物性の測定手法は以下のとおりである。
【００６５】
＜ｐＨの測定＞
起泡力の測定試験では５％水溶液を６０℃に加温し、ｐＨ計にて測定した。
使用感の測定試験では２０％水溶液を６０℃に加温し、ｐＨ計にて測定した。
【００６６】
＜起泡力の測定＞
表１に記載の割合で含む配合成分１９．８ｇ、精製水２８０．２ｇを、ミキサー（商品名；ＭＸ−Ｖ１０００、Ｎａｔｉｏｎａｌ製）に投入し、２５℃で、３０秒間ミキサーにて撹拌直後に、発生した泡の高さ（ｍｍ）を測定し、これにより起泡力を以下の基準により判定した。高い測定値ほど、高い起泡力を示す。
起泡力判定基準（ポイント評価基準）
◎：起泡力が１７０ｍｍ以上
○：起泡力が１５０ｍｍ以上、１７０ｍｍ未満
△：起泡力が１３０ｍｍ以上、１５０ｍｍ未満
×：起泡力が１３０ｍｍ未満
【００６７】
＜使用感の測定＞
洗浄組成物を用いて、手洗浄試験を行い、各試験項目（泡量、泡の細かさ、泡のコシ、泡持ち、ツッパリ感、皮膚刺激性）について、以下の評価基準により、使用感の良否を判定した。
泡量判定基準
◎：非常に泡立つ  ○：泡立つ  △：泡立たない  ×：非常に泡立たない
泡の細かさ判定基準
◎：非常に細かい  ○：細かい  △：荒い  ×：非常に荒い
泡のコシ判定基準
◎：非常にコシがある  ○：コシがある  △：コシがない  ×：非常にコシがない
泡持ち判定基準
○：泡立て後すぐに泡が消滅しない  ×：泡立て後すぐに泡が消滅する
ツッパリ感判定基準
◎：全くつっぱらない  ○：つっぱらない  △：つっぱる  ×：非常につっぱる
皮膚刺激性判定基準
◎：全くない  ○：ない  △：ある  ×：非常にある
【００６８】
＜ダレの測定＞
３０度に傾けた人工皮革上に泡を吐出し、１０秒後の泡の流れた状態を、無し（○）、あり（×）の２段階で比較した。
【００６９】
＜吐出の容易さの測定＞
パネラー１０名により吐出を行い、吐出が容易（○）、困難（×）の２段階で比較した。
【００７０】
実施例１〜１５および比較例１
表１に記載の配合成分を、それぞれ対応する脂肪酸クロライドと、アスパラギン酸またはジアスパラギン酸とを反応させた後に、それぞれ、水酸化カリウムで中和することにより得た。
脂肪酸カリウム塩は、それぞれ対応する脂肪酸クロライドを水と反応させた後に、それぞれ、水酸化カリウムで中和することにより得た。
比較例１においては、表１に記載のとおり、水酸化ナトリウムで中和した配合成分を用いた。
表１に記載の質量割合で各配合成分を混合し、配合成分を５質量％で含む洗浄剤組成物を精製水で調製し、得られた洗浄剤組成物の物性を前述の起泡力の測定試験により評価した。
同様に表１に記載の質量割合で各配合成分を混合し、配合成分を２０質量％で含む洗浄剤組成物を精製水で調製し、得られた洗浄剤組成物の物性を前述の使用感の測定試験により評価した。
結果を表１に示す。実施例１−１５の洗浄剤組成物は、泡の細かさ、泡のコシといった使用感において優れた結果を示した。
【００７１】
【表１】
2010241909.tif 000010
【００７２】
実施例１６−３９および比較例２−６
ジラウロイルグルタミン酸リシンナトリウムは、ペリセア（登録商標）Ｌ３０（旭化成ケミカルズ株式会社製）を用いた。
表２に記載の質量割合（質量％）で各配合成分を混合し、精製水を全体が１００質量％となるように混合して、洗浄剤組成物を調製した。得られた洗浄剤組成物について評価を行い、結果を表２に示す。
実施例１６−３９の洗浄剤組成物は泡のダレ、泡のコシ、吐出の容易さ、ツッパリ感において優れた結果を示した。
【００７３】
【表２】
2010241909.tif 000011
【００７４】
実施例４０
下記組成によりボディーシャンプーを常法により作製した。得られたボディーシャンプーは、洗浄時の起泡性、洗浄性に優れ、且つ洗浄時ならびに洗浄後の使用感に優れたものであった。
(質量％)
ミリストイルアスパラギン酸ジカリウム                ７．５
ミリストイルジアスパラギン酸トリカリウム            ０．１
ミリストイルジアスパラギン酸トリカリウム            ０．１
ミリスチン酸カリウム                                ０．５
ココイルメチルタウリンＮａ                          ５．０
ラウリルベタイン                                    ７．０
ポリオキシエチレンセチルステアリルジエーテル        ４．０
ベタイン                                            １．０
ＥＤＴＡ−２Ｎａ                                    ０．２
メチルパラベン                                      ０．２
水                                                  残余
【００７５】
実施例４１
下記組成により頭髪用シャンプーを常法により作製した。得られたシャンプーは、洗浄時の起泡性、洗浄性に優れ、且つすすぎ後のきしみ感も少ない優れたものであった。
(質量％)
パーム油脂肪酸アシルアスパラギン酸ジカリウム            ５．０
パーム油脂肪酸アシル−αジアスパラギン酸トリカリウム    ０．１
パーム油脂肪酸アシル−βジアスパラギン酸トリカリウム    ０．１
パーム油脂肪酸カリウム                                  ０．５
ココイルメチルタウリンＮａ                              ５．０
コカミドプロピルベタイン                                １．５
コカミドメチルＭＥＡ                                    ４．０
ジステアリン酸ＰＥＧ−３                                ２．５
セテアレス−６０ミリスチルグリコール                    ２．０
ベタイン                                                １．０
ポリクオタニウム−１０                                  ０．６
エチドロン酸                                            ０．１
メチルイソチアゾリノン                                  適量
水                                                      残余
【００７６】
実施例４２
下記組成によりクレンジングフォームを常法により作製した。得られたクレンジングフォームは、洗浄時の起泡性、洗浄性に優れ、且つすすぎ後のきしみ感も少ない優れたものであった。
(質量％)
パーム油脂肪酸アシルアスパラギン酸ジカリウム            ２５．０
パーム油脂肪酸アシル−αジアスパラギン酸トリカリウム    ０．５
パーム油脂肪酸アシル−βジアスパラギン酸トリカリウム    ０．５
パーム油脂肪酸カリウム                                  ２．５
ベタイン                                                １．０
オレス２０                                              １．０
ココイルメチルタウリンＮａ                              ３．０
ＰＥＧ−１５０                                          ４．０
ラウラミドＤＥＡ                                        ４．０
ジステアリン酸グリコール                                ２．０
ＢＧ                                                    １０．０
クエン酸                                                適量
水                                                      残余
【産業上の利用可能性】
【００７７】
本発明の洗浄組成物は、泡立ちと泡持ちに優れ、キメ細かくクリーミーな泡立ちを有し、優れた洗浄力を示し、且つさっぱりした感触が得られ、洗浄後の肌のツッパリ感がないという点で、使用感に優れており、化粧品並びに洗浄用途の分野で好適に利用できる。